(57)【要約】      （修正有）【課題】搬送容器の移動や運搬において、大きさや形状が異なる搬送容器を安定的に上下に積み重ねて効率良く搬送容器を移動又は運搬することを可能とする。【解決手段】基台部２の一面側に、その第一外縁辺に沿って形成する第一壁状凸部１１及び、第一外縁辺と夫々隣接する第二外縁辺及び第三外縁辺に沿って互いに対向して形成する第二壁状凸部１２及び第三壁状凸部１３と、第二壁状凸部の一方の端部に形成する第一端部切欠部２１、及び第三壁状凸部の一方の端部に形成する第二端部切欠部２２と、第一端部切欠部から所定間隔離れた位置に形成する第一凹状切欠部３１、及び第二端部切欠部から所定間隔離れた位置に形成する第二凹状切欠部３２を備える。また、基台部の他面側に、第一外縁辺に沿って形成する第四壁状凸部１４及び、第二外縁辺及び第三外縁辺に沿って互いに対向して形成する第五壁状凸部１５及び第六壁状凸部１６を備える。【選択図】図１
2010159069.tif 000002
【特許請求の範囲】
【請求項１】
物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を安定的に積み重ねるため、上下の前記搬送容器間に介在させる積み重ね補助具であって、
略矩形の板状の基台部と、
前記基台部の一面側に、前記基台部の外周に位置する第一外縁辺に沿って所定の高さで水平方向に形成する第一壁状凸部、及び、前記第一外縁辺とそれぞれ隣接する前記基台部の外周に位置する第二外縁辺及び第三外縁辺にそれぞれ沿って互いに対向するように所定の高さで水平方向に形成する第二壁状凸部及び第三壁状凸部と、
前記第二壁状凸部の前記第一壁状凸部側の端部に形成する第一端部切欠部、及び前記第三壁状凸部の前記第一壁状凸部側の端部に形成する第二端部切欠部と、
前記第二壁状凸部の前記第一端部切欠部から所定間隔離れた位置に形成する1又は２以上の第一凹状切欠部、及び前記第三壁状凸部の前記第二端部切欠部から所定間隔離れた位置に形成する1又は２以上の第二凹状切欠部と、
前記基台部の他面側に、前記第一外縁辺に沿って所定の高さで水平方向に形成する第四壁状凸部、及び、前記第一外縁辺とそれぞれ隣接する前記第二外縁辺及び前記第三外縁辺にそれぞれ沿って互いに対向するように所定の高さで水平方向に形成する第五壁状凸部及び第六壁状凸部と、
を少なくとも備えることを特徴とする搬送容器用積み重ね補助具。
【請求項２】
物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を安定的に積み重ねるため、上下の前記搬送容器間に介在させる積み重ね補助具であって、
略矩形の板状の基台部と、
前記基台部の一面側に、前記基台部の外周に位置する第一外縁辺に沿って所定の高さで水平方向に形成する第一壁状凸部、及び、前記第一外縁辺とそれぞれ隣接する前記基台部の外周に位置する第二外縁辺及び第三外縁辺にそれぞれ沿って互いに対向するように所定の高さで水平方向に形成する第二壁状凸部及び第三壁状凸部と、
前記基台部の他面側に、前記第一外縁辺に沿って所定の高さで水平方向に形成する第四壁状凸部、及び、前記第一外縁辺とそれぞれ隣接する前記第二外縁辺及び前記第三外縁辺にそれぞれ沿って互いに対向するように所定の高さで水平方向に形成する第五壁状凸部及び第六壁状凸部と、
前記第五壁状凸部の前記第四壁状凸部側の端部に形成する第三端部切欠部、及び前記第六壁状凸部の前記第四壁状凸部側の端部に形成する第四端部切欠部と、
前記第五壁状凸部の前記第三端部切欠部から所定間隔離れた位置に形成する1又は２以上の第三凹状切欠部、及び前記第六壁状凸部の前記第四端部切欠部から所定間隔離れた位置に形成する1又は２以上の第四凹状切欠部と、
を少なくとも備えることを特徴とする搬送容器用積み重ね補助具。
【請求項３】
物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を安定的に積み重ねるため、上下の前記搬送容器間に介在させる積み重ね補助具であって、
略矩形の板状の基台部と、
前記基台部の一面側に、前記基台部の外周に位置する第一外縁辺に沿って所定の高さで水平方向に形成する第一壁状凸部、及び、前記第一外縁辺とそれぞれ隣接する前記基台部の外周に位置する第二外縁辺及び第三外縁辺にそれぞれ沿って互いに対向するように所定の高さで水平方向に形成する第二壁状凸部及び第三壁状凸部と、
前記第二壁状凸部の前記第一壁状凸部側の端部に形成する第一端部切欠部、及び前記第三壁状凸部の前記第一壁状凸部側の端部に形成する第二端部切欠部と、
前記第二壁状凸部の前記第一端部切欠部から所定間隔離れた位置に形成する1又は２以上の第一凹状切欠部、及び前記第三壁状凸部の前記第二端部切欠部から所定間隔離れた位置に形成する1又は２以上の第二凹状切欠部と、
前記基台部の他面側に、前記第一外縁辺に沿って所定の高さで水平方向に形成する第四壁状凸部、及び、前記第一外縁辺とそれぞれ隣接する前記第二外縁辺及び前記第三外縁辺にそれぞれ沿って互いに対向するように所定の高さで水平方向に形成する第五壁状凸部及び第六壁状凸部と、
前記第五壁状凸部の前記第四壁状凸部側の端部に形成する第三端部切欠部、及び前記第六壁状凸部の前記第四壁状凸部側の端部に形成する第四端部切欠部と、
前記第五壁状凸部の前記第三端部切欠部から所定間隔離れた位置に形成する1又は２以上の第三凹状切欠部、及び前記第六壁状凸部の前記第四端部切欠部から所定間隔離れた位置に形成する1又は２以上の第四凹状切欠部と、
を少なくとも備えることを特徴とする搬送容器用積み重ね補助具。
【請求項４】
物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を安定的に積み重ねるため、上下の前記搬送容器間に介在させる積み重ね補助具であって、
略矩形の板状の基台部と、
前記基台部の一面側に、前記基台部の外周に位置する第一外縁辺に沿って所定の高さで水平方向に形成する第一壁状凸部、及び、前記第一外縁辺とそれぞれ隣接する前記基台部の外周に位置する第二外縁辺及び第三外縁辺にそれぞれ沿って互いに対向するように所定の高さで水平方向に形成する第二壁状凸部及び第三壁状凸部と、
前記基台部の他面側に、前記第一外縁辺に沿って所定の高さで水平方向に形成する第四壁状凸部、及び、前記第一外縁辺とそれぞれ隣接する前記第二外縁辺及び前記第三外縁辺にそれぞれ沿って互いに対向するように所定の高さで水平方向に形成する第五壁状凸部及び第六壁状凸部と、
前記第一壁状凸部と所定間隔を離し平行に、所定の高さで水平方向に形成する第七壁状凸部と、前記第二壁状凸部又は前記第三壁状凸部のいずれか一方と所定間隔を離して平行に、所定の高さで水平方向に形成する第八壁状凸部と、
を少なくとも備えることを特徴とする搬送容器用積み重ね補助具。
【請求項５】
前記第一壁状凸部と所定間隔を離し平行に、所定の高さで水平方向に形成する第七壁状凸部と、前記第二壁状凸部又は前記第三壁状凸部のいずれか一方と所定間隔を離して平行に、所定の高さで水平方向に形成する第八壁状凸部と、
をさらに備えることを特徴とする請求項１乃至３のいずれか１項に記載の搬送容器用積み重ね補助具。
【請求項６】
前記基台部の他面側に、前記第四壁状凸部と所定間隔を離し平行に、所定の高さで水平方向に形成する凸状係止部をさらに備えることを特徴とする請求項２又は３に記載の搬送容器用積み重ね補助具。
【請求項７】
前記基台部は、一定幅の該縁側領域を残して中心領域が切欠された板状枠体であることを特徴とする請求項１乃至６のいずれか１項に記載の搬送容器用積み重ね補助具。
【請求項８】
前記基台部は、前記第二外縁辺を有する板状部材の前記第二外縁辺とは反対側に位置する第二内縁辺に形成する1又は２以上の第五凹状切欠部と、前記第三外縁辺を有する板状部材の前記第三外縁辺とは反対側に位置する第三内縁辺に形成する1又は２以上の第六凹状切欠部と、さらに備えることを特徴とする請求項７に記載の搬送容器用積み重ね補助具。
【請求項９】
物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を積み重ねるために、上下に配された二つの前記搬送容器間に、前記請求項１又は３に記載の搬送容器用積み重ね補助具を介在させ、
前記搬送容器用積み重ね補助具が備える第一端部切欠部、第二端部切欠部、第一凹状切欠部、及び第二凹状切欠部により、下側に位置する搬送容器の互いに対向する二辺となるそれぞれの側壁部の上縁を勘合し又は挟み込むように保持して、二つの前記搬送容器を積み重ねることを特徴とする搬送容器の積み重ね方法。
【請求項１０】
物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を積み重ねるために、上下に配された二つの前記搬送容器間に、前記請求項２又は３に記載の搬送容器用積み重ね補助具を介在させ、
前記搬送容器用積み重ね補助具が備える第三端部切欠部、第四端部切欠部、第三凹状切欠部、及び第四凹状切欠部により、上側に位置する搬送容器の互いに対向する二辺となるそれぞれの側壁部の下縁を勘合し又は挟み込むように保持して、二つの前記搬送容器を積み重ねることを特徴とする搬送容器の積み重ね方法。
【請求項１１】
物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を積み重ねるために、上下に配された二つの前記搬送容器間に、前記請求項４又は５に記載の搬送容器用積み重ね補助具を介在させ、
前記搬送容器用積み重ね補助具が備える第一壁状凸部と第七壁状凸部とにより、下側に位置する搬送容器の側壁部の上縁を勘合し又は挟み込むように保持し、かつ、
前記搬送容器用積み重ね補助具が備える第二壁状凸部又は第三壁状凸部と第八壁状凸部とにより、下側に位置する搬送容器の互いに隣接する二辺となるそれぞれの側壁部の上縁を勘合し又は挟み込むように保持して、二つの前記搬送容器を積み重ねることを特徴とする搬送容器の積み重ね方法。
【請求項１２】
物品を載置する略矩形の載置部と、該載置部の四辺の縁部より起立して所定の高さで形成する側壁部と、該側壁部の下端に備えられた下方に開口する積み重ね溝部とを有し、上方が開口する角型の搬送容器のうち、大きさ及び／又は形状の異なる二つの前記搬送容器を積み重ねるために、上下に配された二つの前記搬送容器間に、前記請求項６に記載の搬送容器用積み重ね補助具を介在させ、
前記搬送容器用積み重ね補助具が備える凸状係止部により、上側に位置する搬送容器の下端部に備えられた前記積み重ね溝部と勘合して係止するようにして、二つの前記搬送容器を積み重ねることを特徴とする搬送容器の積み重ね方法。
【請求項１３】
物品を載置する略矩形の載置部と、該載置部の四辺の縁部より起立して所定の高さで形成する側壁部と、前記載置部の底部に備えられた下方に突出する係止部とを有し、上方が開口する角型の搬送容器のうち、大きさ及び／又は形状の異なる二つの前記搬送容器を積み重ねるために、上下に配された二つの前記搬送容器間に、前記請求項８に記載の搬送容器用積み重ね補助具を介在させ、
前記搬送容器用積み重ね補助具が備える第五凹状切欠部、及び第六凹状切欠部により、上側に位置する搬送容器の底部に備えられた前記係止部を勘合し又は挟み込むように保持して、二つの前記搬送容器を積み重ねることを特徴とする搬送容器の積み重ね方法。
【発明の詳細な説明】
【技術分野】
【０００１】
本発明は、たとえばパンや弁当といった食品類を運搬・保管等するときに用いる搬送容器のうち、大きさや形状が異なる搬送容器を安定的に上下に積み重ねるための搬送容器用積み重ね補助具と、この搬送容器用積み重ね補助具を用いた搬送容器の積み重ね方法に関する。
【背景技術】
【０００２】
パンやおにぎり、弁当のような食品類等を収容して運搬するための搬送容器として、所謂「番重」と称される角型をした搬送容器が一般的に使用されている。このような番重としては、メーカごとに種々提案されているが、その構造は大きく分けて二つに分けることができる（たとえば、特許文献１乃至３を参照）。
【０００３】
まず、第一構造搬送容器１００は、たとえば図２３に示すように、物品を載置する略矩形の載置部１０１と、この載置部１０１の四辺の縁より起立して設けられた側壁部とを有し、この側壁部のうち、対向する一対の側壁部１０２，１０２は、その上縁１０２ａが他の一対の側壁部１１２，１１２の上縁より上方に突出すると共に、その下縁１０２ｂが搬送容器の底部１０５よりも下方に突出するように設けられている。また、前記一対の側壁部１０２，１０２の突出した上縁１０２ａの上面に積み重ね凸部１０３を備えると共に、前記一対の側壁部１０２，１０２の突出した下縁１０２ｂに下方に開口する積み重ね溝部１０４を備えた、上方が開口する略角形構造を有している。このような第一構造搬送容器１００は、通常、格納や運搬に際して、図２４に示すように、下側に位置する第一構造搬送容器１００の積み重ね凸部１０３を、上方に位置する第一構造搬送容器１００の積み重ね溝部１０４に嵌合して係止する。図２４において、第一構造搬送容器１００Ａ−１における積み重ね凸部１０３−１は、第一構造搬送容器１００Ａ−２における積み重ね溝部１０４−２に嵌合し、第一構造搬送容器１００Ａ−２における積み重ね凸部１０３−２は、第一構造搬送容器１００Ａ−３における積み重ね溝部１０４−３に嵌合することが示されている。したがって、この積み重ね凸部１０３と積み重ね溝部１０４との嵌合により、上側に積み重ねられた第一構造搬送容器１００は、下側に位置する第一構造搬送容器１００上に係止され、上下に安定的に積み重ねられている。
【０００４】
また、第二構造搬送容器２００は、たとえば図２５に示すように、物品を載置する略矩形の載置部２０１と、この載置部２０１の四辺の縁より起立して設けられた側壁部２０２とを有し、この側壁部２０２の上縁２０２ａに積み重ねフランジ部２０３を備えると共に、搬送容器の底部２０５に積み重ね係止部２０４を備えた、上方が開口する略角形構造を有している。このような第二構造搬送容器２００は、図２６に示すように、下側に位置する第二構造搬送容器２００の積み重ねフランジ部２０３の内側に、上側に位置する第二構造搬送容器２００の積み重ね係止部２０４を嵌合して係止する。図２６において、第二構造搬送容器２００Ａ−２における積み重ね係止部２０４−２は、第二構造搬送容器２００Ａ−１における積み重ねフランジ部２０３−１に嵌合し、第二構造搬送容器２００Ａ−３における積み重ね係止部２０４−３は、第二構造搬送容器２００Ａ−２における積み重ねフランジ部２０３−２に嵌合してことが示されている。したがって、この積み重ねフランジ部２０３と積み重ね係止部２０４との嵌合により、上側に積み重ねられた第二構造搬送容器２００は、下側に位置する第二構造搬送容器２００上に係止され、上下に安定的に積み重ねられている。
【０００５】
ところで、近年、エネルギー問題や、運搬車両の排気ガスによる地球温暖化防止、配送作業の効率化といった種々の課題に対応するため、商品をメーカごと個々に配送するのではなく、複数のメーカが集まって異なるメーカの商品をまとめて配送する共同配送が行われ始めている。しかしながら、従来の搬送容器は、上述したように大きさや形状等がメーカごとに種々異なった構造となっており、このような搬送容器を安定的に上下に積み重ねることはできなかった。
【０００６】
したがって、従来の搬送容器では、大きさや形状の異なる搬送容器を移動又は運搬する場合、積み重ね凸部１０３と積み重ね溝部１０４との嵌合や、積み重ねフランジ部２０３と積み重ね係止部２０４との嵌合といった適切な係止が成されず、搬送容器を上下に積み重ねた状態を維持したまま、搬送容器の格納や運搬を行うことができない。そのため、大きさや形状が異なる搬送容器ごとに別々の位置で、大きさや形状が同じ搬送容器同士で上下に積み重ねる必要があり、搬送容器の種類が多くなるにつれて平面的に広いスペースを要するものとなり、その移動又は運搬において非常に効率が良くないものであった。
このように、搬送容器の移動や運搬において、大きさや形状が異なる搬送容器を安定的に上下に積み重ねることを可能とした手段は、現在のところ何ら提案されていない。
【先行技術文献】
【特許文献】
【０００７】
【特許文献１】実公昭４５−２１２４７号公報
【特許文献２】実公昭５７−５７００９号公報
【特許文献３】特許第４１０７８０３号公報
【発明の概要】
【発明が解決しようとする課題】
【０００８】
本発明は、上記事情に鑑みて成されたものであり、搬送容器の移動や運搬において、大きさや形状が異なる搬送容器を安定的に上下に積み重ねて効率良く搬送容器を移動又は運搬することを可能とした技術を提供することを目的とする。
【課題を解決するための手段】
【０００９】
本発明の請求項１に係る搬送容器用積み重ね補助具は、物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を安定的に積み重ねるため、上下の前記搬送容器間に介在させる積み重ね補助具であって、略矩形の板状の基台部と、前記基台部の一面側に、前記基台部の外周に位置する第一外縁辺に沿って所定の高さで水平方向に形成する第一壁状凸部、及び、前記第一外縁辺とそれぞれ隣接する前記基台部の外周に位置する第二外縁辺及び第三外縁辺にそれぞれ沿って互いに対向するように所定の高さで水平方向に形成する第二壁状凸部及び第三壁状凸部と、前記第二壁状凸部の前記第一壁状凸部側の端部に形成する第一端部切欠部、及び前記第三壁状凸部の前記第一壁状凸部側の端部に形成する第二端部切欠部と、前記第二壁状凸部の前記第一端部切欠部から所定間隔離れた位置に形成する1又は２以上の第一凹状切欠部、及び前記第三壁状凸部の前記第二端部切欠部から所定間隔離れた位置に形成する1又は２以上の第二凹状切欠部と、前記基台部の他面側に、前記第一外縁辺に沿って所定の高さで水平方向に形成する第四壁状凸部、及び、前記第一外縁辺とそれぞれ隣接する前記第二外縁辺及び前記第三外縁辺にそれぞれ沿って互いに対向するように所定の高さで水平方向に形成する第五壁状凸部及び第六壁状凸部と、を少なくとも備えることを特徴とする。
【００１０】
本発明の請求項２に係る搬送容器用積み重ね補助具は、物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を安定的に積み重ねるため、上下の前記搬送容器間に介在させる積み重ね補助具であって、略矩形の板状の基台部と、前記基台部の一面側に、前記基台部の外周に位置する第一外縁辺に沿って所定の高さで水平方向に形成する第一壁状凸部、及び、前記第一外縁辺とそれぞれ隣接する前記基台部の外周に位置する第二外縁辺及び第三外縁辺にそれぞれ沿って互いに対向するように所定の高さで水平方向に形成する第二壁状凸部及び第三壁状凸部と、前記基台部の他面側に、前記第一外縁辺に沿って所定の高さで水平方向に形成する第四壁状凸部、及び、前記第一外縁辺とそれぞれ隣接する前記第二外縁辺及び前記第三外縁辺にそれぞれ沿って互いに対向するように所定の高さで水平方向に形成する第五壁状凸部及び第六壁状凸部と、前記第五壁状凸部の前記第四壁状凸部側の端部に形成する第三端部切欠部、及び前記第六壁状凸部の前記第四壁状凸部側の端部に形成する第四端部切欠部と、前記第五壁状凸部の前記第三端部切欠部から所定間隔離れた位置に形成する1又は２以上の第三凹状切欠部、及び前記第六壁状凸部の前記第四端部切欠部から所定間隔離れた位置に形成する1又は２以上の第四凹状切欠部と、を少なくとも備えることを特徴とする。
【００１１】
本発明の請求項３に係る搬送容器用積み重ね補助具は、物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を安定的に積み重ねるため、上下の前記搬送容器間に介在させる積み重ね補助具であって、略矩形の板状の基台部と、前記基台部の一面側に、前記基台部の外周に位置する第一外縁辺に沿って所定の高さで水平方向に形成する第一壁状凸部、及び、前記第一外縁辺とそれぞれ隣接する前記基台部の外周に位置する第二外縁辺及び第三外縁辺にそれぞれ沿って互いに対向するように所定の高さで水平方向に形成する第二壁状凸部及び第三壁状凸部と、前記第二壁状凸部の前記第一壁状凸部側の端部に形成する第一端部切欠部、及び前記第三壁状凸部の前記第一壁状凸部側の端部に形成する第二端部切欠部と、前記第二壁状凸部の前記第一端部切欠部から所定間隔離れた位置に形成する1又は２以上の第一凹状切欠部、及び前記第三壁状凸部の前記第二端部切欠部から所定間隔離れた位置に形成する1又は２以上の第二凹状切欠部と、前記基台部の他面側に、前記第一外縁辺に沿って所定の高さで水平方向に形成する第四壁状凸部、及び、前記第一外縁辺とそれぞれ隣接する前記第二外縁辺及び前記第三外縁辺にそれぞれ沿って互いに対向するように所定の高さで水平方向に形成する第五壁状凸部及び第六壁状凸部と、前記第五壁状凸部の前記第四壁状凸部側の端部に形成する第三端部切欠部、及び前記第六壁状凸部の前記第四壁状凸部側の端部に形成する第四端部切欠部と、前記第五壁状凸部の前記第三端部切欠部から所定間隔離れた位置に形成する1又は２以上の第三凹状切欠部、及び前記第六壁状凸部の前記第四端部切欠部から所定間隔離れた位置に形成する1又は２以上の第四凹状切欠部と、を少なくとも備えることを特徴とする。
【００１２】
本発明の請求項４に係る搬送容器用積み重ね補助具は、物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を安定的に積み重ねるため、上下の前記搬送容器間に介在させる積み重ね補助具であって、略矩形の板状の基台部と、前記基台部の一面側に、前記基台部の外周に位置する第一外縁辺に沿って所定の高さで水平方向に形成する第一壁状凸部、及び、前記第一外縁辺とそれぞれ隣接する前記基台部の外周に位置する第二外縁辺及び第三外縁辺にそれぞれ沿って互いに対向するように所定の高さで水平方向に形成する第二壁状凸部及び第三壁状凸部と、前記基台部の他面側に、前記第一外縁辺に沿って所定の高さで水平方向に形成する第四壁状凸部、及び、前記第一外縁辺とそれぞれ隣接する前記第二外縁辺及び前記第三外縁辺にそれぞれ沿って互いに対向するように所定の高さで水平方向に形成する第五壁状凸部及び第六壁状凸部と、前記第一壁状凸部と所定間隔を離し平行に、所定の高さで水平方向に形成する第七壁状凸部と、前記第二壁状凸部又は前記第三壁状凸部のいずれか一方と所定間隔を離して平行に、所定の高さで水平方向に形成する第八壁状凸部と、を少なくとも備えることを特徴とする。
【００１３】
本発明の請求項５に係る搬送容器用積み重ね補助具は、請求項１乃至３のいずれか１項に記載の搬送容器用積み重ね補助具において、前記第一壁状凸部と所定間隔を離し平行に、所定の高さで水平方向に形成する第七壁状凸部と、前記第二壁状凸部又は前記第三壁状凸部のいずれか一方と所定間隔を離して平行に、所定の高さで水平方向に形成する第八壁状凸部と、をさらに備えることを特徴とする。
【００１４】
本発明の請求項６に係る搬送容器用積み重ね補助具は、請求項２又は３に記載の搬送容器用積み重ね補助具において、前記基台部の他面側に、前記第四壁状凸部と所定間隔を離し平行に、所定の高さで水平方向に形成する凸状係止部をさらに備えることを特徴とする。
【００１５】
本発明の請求項７に係る搬送容器用積み重ね補助具は、請求項１乃至６のいずれか１項に記載の搬送容器用積み重ね補助具において、前記基台部は、一定幅の該縁側領域を残して中心領域が切欠された板状枠体であることを特徴とする。
【００１６】
本発明の請求項８に係る搬送容器用積み重ね補助具は、請求項７に記載の搬送容器用積み重ね補助具において、前記基台部は、前記第二外縁辺を有する板状部材の前記第二外縁辺とは反対側に位置する第二内縁辺に形成する1又は２以上の第五凹状切欠部と、前記第三外縁辺を有する板状部材の前記第三外縁辺とは反対側に位置する第三内縁辺に形成する1又は２以上の第六凹状切欠部と、さらに備えることを特徴とする。
【００１７】
本発明の請求項９に係る搬送容器の積み重ね方法は、物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を積み重ねるために、上下に配された二つの前記搬送容器間に、前記請求項１又は３に記載の搬送容器用積み重ね補助具を介在させ、前記搬送容器用積み重ね補助具が備える第一端部切欠部、第二端部切欠部、第一凹状切欠部、及び第二凹状切欠部により、下側に位置する搬送容器の互いに対向する二辺となるそれぞれの側壁部の上縁を勘合し又は挟み込むように保持して、二つの前記搬送容器を積み重ねることを特徴とする。
【００１８】
本発明の請求項１０に係る搬送容器の積み重ね方法は、物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を積み重ねるために、上下に配された二つの前記搬送容器間に、前記請求項２又は３に記載の搬送容器用積み重ね補助具を介在させ、前記搬送容器用積み重ね補助具が備える第三端部切欠部、第四端部切欠部、第三凹状切欠部、及び第四凹状切欠部により、上側に位置する搬送容器の互いに対向する二辺となるそれぞれの側壁部の下縁を勘合し又は挟み込むように保持して、二つの前記搬送容器を積み重ねることを特徴とする。
【００１９】
本発明の請求項１１に係る搬送容器の積み重ね方法は、物品を載置する略矩形の載置部と、該載置部の四辺の縁部より起立して所定の高さで形成する側壁部とを有し、上方が開口する角型の搬送容器のうち、大きさ及び／又は形状の異なる二つの前記搬送容器を積み重ねるために、上下に配された二つの前記搬送容器間に、前記請求項４又は５に記載の搬送容器用積み重ね補助具を介在させ、前記搬送容器用積み重ね補助具が備える第一壁状凸部と第七壁状凸部とにより、下側に位置する搬送容器の側壁部の上縁を勘合し又は挟み込むように保持し、かつ、前記搬送容器用積み重ね補助具が備える第二壁状凸部又は第三壁状凸部と第八壁状凸部とにより、下側に位置する搬送容器の互いに隣接する二辺となるそれぞれの側壁部の上縁を勘合し又は挟み込むように保持して、二つの前記搬送容器を積み重ねることを特徴とする。
【００２０】
本発明の請求項１２に係る搬送容器の積み重ね方法は、物品を載置する略矩形の載置部と、該載置部の四辺の縁部より起立して所定の高さで形成する側壁部と、該側壁部の下端に備えられた下方に開口する積み重ね溝部とを有し、上方が開口する角型の搬送容器のうち、大きさ及び／又は形状の異なる二つの前記搬送容器を積み重ねるために、上下に配された二つの前記搬送容器間に、前記請求項６に記載の搬送容器用積み重ね補助具を介在させ、前記搬送容器用積み重ね補助具が備える凸状係止部により、上側に位置する搬送容器の下端部に備えられた前記積み重ね溝部と勘合して係止するようにして、二つの前記搬送容器を積み重ねることを特徴とする。
【００２１】
本発明の請求項１３に係る搬送容器の積み重ね方法は、物品を載置する略矩形の載置部と、該載置部の四辺の縁部より起立して所定の高さで形成する側壁部と、前記載置部の底部に備えられた下方に突出する係止部とを有し、上方が開口する角型の搬送容器のうち、大きさ及び／又は形状の異なる二つの前記搬送容器を積み重ねるために、上下に配された二つの前記搬送容器間に、前記請求項８に記載の搬送容器用積み重ね補助具を介在させ、前記搬送容器用積み重ね補助具が備える第五凹状切欠部、及び第六凹状切欠部により、上側に位置する搬送容器の底部に備えられた前記係止部を勘合し又は挟み込むように保持して、二つの前記搬送容器を積み重ねることを特徴とする。
【発明の効果】
【００２２】
本発明の請求項1に係る搬送容器用積み重ね補助具は、略矩形の板状の基台部の一面側に、前記基台部の外周に位置する第一外縁辺に沿って形成する第一壁状凸部及び、第一外縁辺とそれぞれ隣接する第二外縁辺及び第三外縁辺にそれぞれ沿って互いに対向するように形成する第二壁状凸部及び第三壁状凸部を備える。また、前記基台部の他面側に、前記第一外縁辺に沿って形成する第四壁状凸部、及び、前記第二外縁辺及び前記第三外縁辺にそれぞれ沿って互いに対向するように形成する第五壁状凸部及び第六壁状凸部を備える。さらに、前記第二壁状凸部の前記第一壁状凸部側の端部に形成する第一端部切欠部、及び前記第三壁状凸部の前記第一壁状凸部側の端部に形成する第二端部切欠部と、前記第二壁状凸部の前記第一端部切欠部から所定間隔離れた位置に形成する1又は２以上の第一凹状切欠部、及び前記第三壁状凸部の前記第二端部切欠部から所定間隔離れた位置に形成する1又は２以上の第二凹状切欠部とを備える。ゆえに、第一壁状凸部と第二壁状凸部と第三壁状凸部によって、下側に位置する搬送容器の側壁部を保持することで、搬送容器上での搬送容器用積み重ね補助具の水平方向の移動を制動することができると共に、第四壁状凸部と第五壁状凸部と第六壁状凸部によって、上側に位置する搬送容器の側壁部を保持することで、搬送容器用積み重ね補助具上での搬送容器の水平方向の移動を制動することができる。また、第一端部切欠部と第二端部切欠部、及び第一凹状切欠部と第二凹状切欠部によって、下側に位置する搬送容器の側壁部において、対向する一対の側壁部の上縁を勘合し又は挟み込むように保持することで、搬送容器上での搬送容器用積み重ね補助具の水平方向の移動を制動することができると共に、第四壁状凸部と第五壁状凸部と第六壁状凸部によって、上側に位置する搬送容器の側壁部を保持することで、搬送容器用積み重ね補助具上での搬送容器の水平方向の移動を制動することができる。これにより、大きさ及び／又は形状の異なる二つの搬送容器を上下に安定的に積み重ねることができる。
したがって、搬送容器の移動や運搬において、大きさや形状が異なる搬送容器を安定的に上下に積み重ねて効率良く搬送容器を移動又は運搬することを可能とすることができる。
【００２３】
本発明の請求項２に係る搬送容器用積み重ね補助具は、略矩形の板状の基台部の一面側に、前記基台部の外周に位置する第一外縁辺に沿って形成する第一壁状凸部及び、第一外縁辺とそれぞれ隣接する第二外縁辺及び第三外縁辺にそれぞれ沿って互いに対向するように形成する第二壁状凸部及び第三壁状凸部を備える。また、前記基台部の他面側に、前記第一外縁辺に沿って形成する第四壁状凸部、及び、前記第二外縁辺及び前記第三外縁辺にそれぞれ沿って互いに対向するように形成する第五壁状凸部及び第六壁状凸部を備える。さらに、前記第五壁状凸部の前記第四壁状凸部側の端部に形成する第三端部切欠部、及び前記第六壁状凸部の前記第四壁状凸部側の端部に形成する第四端部切欠部と、前記第五壁状凸部の前記第三端部切欠部から所定間隔離れた位置に形成する1又は２以上の第三凹状切欠部、及び前記第六壁状凸部の前記第四端部切欠部から所定間隔離れた位置に形成する1又は２以上の第四凹状切欠部とを備える。ゆえに、第一壁状凸部と第二壁状凸部と第三壁状凸部によって、下側に位置する搬送容器の側壁部を保持することで、搬送容器上での搬送容器用積み重ね補助具の水平方向の移動を制動することができると共に、第四壁状凸部と第五壁状凸部と第六壁状凸部によって、上側に位置する搬送容器の側壁部を保持することで、搬送容器用積み重ね補助具上での搬送容器の水平方向の移動を制動することができる。また、第一壁状凸部と第二壁状凸部と第三壁状凸部によって、下側に位置する搬送容器の側壁部を保持することで、搬送容器上での搬送容器用積み重ね補助具の水平方向の移動を制動することができると共に、第三端部切欠部と第四端部切欠部、及び第三凹状切欠部と第四凹状切欠部によって、上側に位置する搬送容器の側壁部において、対向する一対の側壁部の下縁を勘合し又は挟み込むように保持することで、搬送容器上での搬送容器用積み重ね補助具の水平方向の移動を制動することができる。これにより、大きさ及び／又は形状の異なる二つの搬送容器を上下に安定的に積み重ねることができる。
したがって、搬送容器の移動や運搬において、大きさや形状が異なる搬送容器を安定的に上下に積み重ねて効率良く搬送容器を移動又は運搬することを可能とすることができる。
【００２４】
本発明の請求項３に係る搬送容器用積み重ね補助具は、略矩形の板状の基台部の一面側に、前記基台部の外周に位置する第一外縁辺に沿って形成する第一壁状凸部及び、第一外縁辺とそれぞれ隣接する第二外縁辺及び第三外縁辺にそれぞれ沿って互いに対向するように形成する第二壁状凸部及び第三壁状凸部を備える。また、前記基台部の他面側に、前記第一外縁辺に沿って形成する第四壁状凸部、及び、前記第二外縁辺及び前記第三外縁辺にそれぞれ沿って互いに対向するように形成する第五壁状凸部及び第六壁状凸部を備える。さらに、前記第二壁状凸部の前記第一壁状凸部側の端部に形成する第一端部切欠部、及び前記第三壁状凸部の前記第一壁状凸部側の端部に形成する第二端部切欠部と、前記第二壁状凸部の前記第一端部切欠部から所定間隔離れた位置に形成する1又は２以上の第一凹状切欠部、及び前記第三壁状凸部の前記第二端部切欠部から所定間隔離れた位置に形成する1又は２以上の第二凹状切欠部とを備えると共に、前記第五壁状凸部の前記第四壁状凸部側の端部に形成する第三端部切欠部、及び前記第六壁状凸部の前記第四壁状凸部側の端部に形成する第四端部切欠部と、前記第五壁状凸部の前記第三端部切欠部から所定間隔離れた位置に形成する1又は２以上の第三凹状切欠部、及び前記第六壁状凸部の前記第四端部切欠部から所定間隔離れた位置に形成する1又は２以上の第四凹状切欠部とを備える。ゆえに、第一壁状凸部と第二壁状凸部と第三壁状凸部によって、下側に位置する搬送容器の側壁部を保持することで、搬送容器上での搬送容器用積み重ね補助具の水平方向の移動を制動することができると共に、第四壁状凸部と第五壁状凸部と第六壁状凸部によって、上側に位置する搬送容器の側壁部を保持することで、搬送容器用積み重ね補助具上での搬送容器の水平方向の移動を制動することができる。また、第一端部切欠部と第二端部切欠部、及び第一凹状切欠部と第二凹状切欠部によって、下側に位置する搬送容器の側壁部において、対向する一対の側壁部の上縁を勘合し又は挟み込むように保持することで、搬送容器上での搬送容器用積み重ね補助具の水平方向の移動を制動することができると共に、第三端部切欠部と第四端部切欠部、及び第三凹状切欠部と第四凹状切欠部によって、上側に位置する搬送容器の側壁部において、対向する一対の側壁部の下縁を勘合し又は挟み込むように保持することで、搬送容器上での搬送容器用積み重ね補助具の水平方向の移動を制動することができる。これにより、大きさ及び／又は形状の異なる二つの搬送容器を上下に安定的に積み重ねることができる。
したがって、搬送容器の移動や運搬において、大きさや形状が異なる搬送容器を安定的に上下に積み重ねて効率良く搬送容器を移動又は運搬することを可能とすることができる。
【００２５】
本発明の請求項４に係る搬送容器用積み重ね補助具は、略矩形の板状の基台部の一面側に、前記基台部の外周に位置する第一外縁辺に沿って形成する第一壁状凸部及び、第一外縁辺とそれぞれ隣接する第二外縁辺及び第三外縁辺にそれぞれ沿って互いに対向するように形成する第二壁状凸部及び第三壁状凸部を備える。また、前記基台部の他面側に、前記第一外縁辺に沿って形成する第四壁状凸部、及び、前記第二外縁辺及び前記第三外縁辺にそれぞれ沿って互いに対向するように形成する第五壁状凸部及び第六壁状凸部を備える。さらに、前記第一壁状凸部と所定間隔を離し平行に形成する第七壁状凸部と、前記第二壁状凸部又は前記第三壁状凸部のいずれか一方と所定間隔を離して平行に形成する第八壁状凸部を備える。ゆえに、第一壁状凸部と第二壁状凸部と第三壁状凸部によって、下側に位置する搬送容器の側壁部を保持することで、搬送容器上での搬送容器用積み重ね補助具の水平方向の移動を制動することができると共に、第四壁状凸部と第五壁状凸部と第六壁状凸部によって、上側に位置する搬送容器の側壁部を保持することで、搬送容器用積み重ね補助具上での搬送容器の水平方向の移動を制動することができる。また、第一壁状凸部と第七壁状凸部によって、下側に位置する搬送容器の一つの側壁部の上縁を対向する２方向から保持すると共に、第二壁状凸部又は第三壁状凸部と第八壁状凸部によって、前記第一壁状凸部と前記第七壁状凸部によって上縁が保持された側壁部と隣り合う他の側壁部の上縁を対向する２方向から保持することで、固定的に連結することができる。これにより、大きさ及び／又は形状の異なる二つの搬送容器を上下により安定的に積み重ねることができる。
したがって、搬送容器の移動や運搬において、大きさや形状が異なる搬送容器を安定的に上下に積み重ねて効率良く搬送容器を移動又は運搬することを可能とすることができる。
【図面の簡単な説明】
【００２６】
【図１】本発明に係る搬送容器用積み重ね補助具を示す、（ａ）他面側を上向きとした状態の斜視図、（ｂ）一面側を上向きとした状態の斜視図である。
【図２】本発明に係る搬送容器用積み重ね補助具を示す平面図である。
【図３】本発明に係る搬送容器用積み重ね補助具を示す底面図である。
【図４】本発明に係る搬送容器用積み重ね補助具を示す正面図である。
【図５】本発明に係る搬送容器用積み重ね補助具を示す背面図である。
【図６】本発明に係る搬送容器用積み重ね補助具を示す左側面図である。
【図７】本発明に係る搬送容器用積み重ね補助具を示す右側面図である。
【図８】本発明に係る搬送容器用積み重ね補助具における、（ａ）第一端部切欠部及び第三端部切欠部の構造を説明する部分拡大模式図、（ｂ）第二端部切欠部及び第四端部切欠部の構造を説明する部分拡大模式図である。
【図９】本発明に係る搬送容器用積み重ね補助具における、（ａ）図２に示すＡ−Ａ線に沿った部分断面模式図、（ｂ）図２に示すＢ−Ｂ線に沿った部分断面模式図である。
【図１０】本発明に係る他の搬送容器用積み重ね補助具を示す、（ａ）平面図、（ｂ）底面図である。
【図１１】本発明に係る搬送容器用積み重ね補助具を第一構造搬送容器上に載置した状態示す（ａ）平面図、（ｂ）同左側面図である。
【図１２】本発明に係る搬送容器用積み重ね補助具を第二構造搬送容器上に載置した状態示す（ａ）平面図、（ｂ）同左側面図である。
【図１３】本発明に係る搬送容器用積み重ね補助具上に第一構造搬送容器を載置した状態示す（ａ）平面図、（ｂ）同左側面図である。
【図１４】本発明に係る搬送容器用積み重ね補助具上に第二構造搬送容器を載置した状態示す（ａ）平面図、（ｂ）同左側面図である。
【図１５】本発明に係る搬送容器用積み重ね補助具を用いて第一構造搬送容器上に形状の異なる第二構造搬送容器を積み重ねる方法を説明する側面図である。
【図１６】本発明に係る搬送容器用積み重ね補助具を用いて第一構造搬送容器上に形状の異なる第二構造搬送容器を積み重ねる方法を説明する側面図である。
【図１７】本発明に係る搬送容器用積み重ね補助具を用いて大きさの異なる第二構造搬送容器同士を上下に積み重ねる方法を説明する側面図である。
【図１８】本発明に係る搬送容器用積み重ね補助具を用いて大きさの異なる第二構造搬送容器同士を上下に積み重ねる方法を説明する側面図である。
【図１９】本発明に係る搬送容器用積み重ね補助具を用いて第二構造搬送容器上に形状の異なる第一構造搬送容器を積み重ねる方法を説明する側面図である。
【図２０】本発明に係る搬送容器用積み重ね補助具を用いて第二構造搬送容器上に形状の異なる第一構造搬送容器を積み重ねる方法を説明する側面図である。
【図２１】本発明に係る搬送容器用積み重ね補助具を用いて大きさの異なる第一構造搬送容器同士を上下に積み重ねる方法を説明する側面図である。
【図２２】本発明に係る搬送容器用積み重ね補助具を用いて大きさの異なる第一構造搬送容器同士を上下に積み重ねる方法を説明する側面図である。
【図２３】第一構造搬送容器の構造を示す斜視図である。
【図２４】図２３に示す第一構造搬送容器の従来の積み重ね方法を説明する側面図である。
【図２５】第二構造搬送容器の構造を示す斜視図である。
【図２６】図２５に示す第二構造搬送容器の従来の積み重ね方法を説明する側面図である。
【発明を実施するための形態】
【００２７】
以下、本発明における実施の形態の一例について、図面を参照して説明する。
本発明で意図する搬送容器用積み重ね補助具は、搬送容器の移動や運搬において、大きさや形状が異なる搬送容器を安定的に上下に積み重ねることを可能とするものである。すなわち、本発明に係る搬送容器用積み重ね補助具は、物品を載置する略矩形の載置部と、この載置部の四辺の縁部より起立して所定の高さで形成する側壁部とを有し、上方が開口された角型の搬送容器において、大きさ及び又は形状の異なる二つの搬送容器を上下に積み重ねる際、これら二つの搬送容器の間に介在することにより、下側に位置する搬送容器と、上側に位置する搬送容器とを安定的に積み重ねるようにするものである。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２８】
本発明に係る搬送容器用積み重ね補助具は、以下のように大きく四つに分けることができる。
まず、第一の搬送容器用積み重ね補助具は、第一構造搬送容器の上に、この第一構造搬送容器とは形状の異なる第二構造搬送容器を上下に安定的に積み重ねることができると共に、互いに大きさの異なる二つの第二構造搬送容器を上下に安定的に積み重ねることをも可能とするもの（以下、「第一構造積み重ね補助具」という。）である。
【００２９】
また、第二の搬送容器用積み重ね補助具は、第二構造搬送容器の上に、この第二構造搬送容器とは形状の異なる第一構造搬送容器を上下に安定的に積み重ねることができると共に、互いに大きさの異なる二つの第二構造搬送容器を上下に安定的に積み重ねることをも可能とするもの（以下、「第二構造積み重ね補助具」という。）である。
【００３０】
また、第三の搬送容器用積み重ね補助具は、互いに大きさの異なる二つの第一構造搬送容器を上下に安定的に積み重ねること、第一構造搬送容器の上に、この第一構造搬送容器とは形状の異なる第二構造搬送容器を上下に安定的に積み重ねることができること、互いに大きさの異なる二つの第二構造搬送容器を上下に安定的に積み重ねること、及び第二構造搬送容器の上に、この第二構造搬送容器とは形状の異なる第一構造搬送容器を上下に安定的に積み重ねることを可能とするもの（以下、「第三構造積み重ね補助具」という。）である。
【００３１】
さらに、第四の搬送容器用積み重ね補助具は、互いに大きさの異なる二つの第二構造搬送容器を積み重ねる際、もしくは、第一構造搬送容器を、この第一構造搬送容器とは形状の異なる第二構造搬送容器の上に積み重ねる際に、下側に位置する第二構造搬送容器を固定的に保持することで、この第二構造搬送容器の上に、第一構造搬送容器又は第二構造搬送容器を安定的に積み重ねることを可能とするもの（以下、「第四構造積み重ね補助具」という。）である。
【００３２】
ここで、第一構造搬送容器１００とは、図２３に示すように、物品を載置する略矩形の載置部１０１と、この載置部１０１の四辺の縁より起立して設けられた側壁部とを有し、上方が開口された角型の搬送容器であり、前記側壁部のうち、対向する一対の側壁部１０２，１０２は、その上縁１０２ａが他の一対の側壁部１１２，１１２の上面より上方に突出すると共に、その突出した上縁１０２ａの上面に積み重ね凸部１０３を備え、かつ、前記一対の側壁部１０２，１０２の下縁１０２ｂが搬送容器の底部１０５よりも下方に突出するように設けられるとともに、その突出した下縁１０２ｂに下方に開口する積み重ね溝部１０４を備えている形状のものをいう。
【００３３】
また、第二構造搬送容器２００とは、図２５に示すように、物品を載置する略矩形の載置部２０１と、この載置部２０１の四辺の縁より起立して設けられた側壁部２０２とを有し、上方が開口された角型の搬送容器であり、前記側壁部２０２の上縁２０２ａに積み重ねフランジ部２０３を備えると共に、搬送容器の底部２０５に積み重ね係止部２０４を備えている形状のものをいう。
【００３４】
なお、本発明に係る搬送容器用積み重ね補助具は、一面側を、下側に位置する搬送容器に向け、他面側を、上側に位置する搬送容器に向けて用いるものである。したがって、以下の述べる各実施の形態において、一面側は下側に位置する搬送容器の上に載置されることになり、その反対に、他面側は上側に位置する搬送容器を載置することになる。
【００３５】
＜第１の実施の形態＞
本実施の形態においては、第一構造搬送容器の上に、この第一構造搬送容器とは形状の異なる第二構造搬送容器を安定的に積み重ねることができると共に、互いに大きさの異なる二つの第二構造搬送容器を上下に安定的に積み重ねることをも可能とする搬送容器用積み重ね補助具（すなわち、上述した第一の搬送容器用積み重ね補助具）について説明する。
【００３６】
図１乃至図７は、本発明に係る搬送容器用積み重ね補助具を示す図である。図1は、本発明に係る搬送容器用積み重ね補助具を示す全体図であり、図1（ａ）は、他面側を上向きとした状態を示す斜視図、図1（ｂ）は、一面側を上向きとした状態を示す斜視図である。図２は、本発明に係る搬送容器用積み重ね補助具を示す平面図である。図３は、本発明に係る搬送容器用積み重ね補助具を示す底面図である。図４は、本発明に係る搬送容器用積み重ね補助具を示す正面図である。図５は、本発明に係る搬送容器用積み重ね補助具を示す背面図である。図７は、本発明に係る搬送容器用積み重ね補助具を示す左側面図である。図６は、本発明に係る搬送容器用積み重ね補助具を示す右側面図である。
【００３７】
本実施の形態における搬送容器用積み重ね補助具１は、図1乃至図７に示すような基台部２と、第一壁状凸部１１と、第二壁状凸部１２と、第三壁状凸部１３と、第四壁状凸部１４と、第五壁状凸部１５と、第六壁状凸部１６と、第一端部切欠部２１と、第二端部切欠部２２と、第一凹状切欠部３１と、第二凹状切欠部３２とを備える。
【００３８】
基台部２は、一面２ａ側が、下側に位置する搬送容器（以下、「下側搬送容器」という。）の側壁部の上縁に載置すると共に、他面２ｂ側が、上側に位置する搬送容器（以下、「上側搬送容器」という。）の底部を載置することとなる略矩形の板状部材である。この基台部２は、金属や合成樹脂等によって成形できる。
【００３９】
また、基台部２は、一定幅の該縁側領域を残して中心領域が切欠された板状枠体であっても良い。この場合、例えば板状部材の縁側領域を一定幅残して中心領域を取り除くように切欠いたものであっても良いし、一定幅の細長板状部材を複数組み合わせることで四辺が形成されるように板状枠体に成形したものであっても良いし、あるいは、樹脂を素材とする場合には、予め板状枠体の成形型を作り、これを用いて射出成形しても良い。図２において、基台部２は、一定幅を有する４つの細長板状部材２０ａ，２０ｂ，２０ｃ，２０ｄを組み合わせることで四辺が形成されるように板状枠体に成形したものとして示されている。このように基台部２を枠体とすることで、枠体の部分で持つことができるので持ち運びし易く、又、搬送容器用積み重ね補助具１を搬送容器の上に載置した状態であっても、その搬送容器の中に入っている物品を搬送容器用積み重ね補助具１の該板状枠体の基台部の切欠いた部分より確認することが可能となる。
【００４０】
第一壁状凸部１１は、基台部２の一面２ａ側に、この基台部２の外周に位置する第一外縁辺１０ａに沿って所定の高さで水平方向に形成され、下側搬送容器の側壁部の上縁に係止することで、下側搬送容器上での搬送容器用積み重ね補助具１の水平方向の移動を１方向から制動する。
【００４１】
第二壁状凸部１２は、基台部２の一面２ａ側に、第一外縁辺１０ａの一方と隣接する基台部２の外周に位置する第二外縁辺１０ｂに沿って所定の高さで水平方向に形成され、下側搬送容器の側壁部の上縁に係止することで、下側搬送容器上での搬送容器用積み重ね補助具１の水平方向の移動を他の１方向から制動する。
【００４２】
第三壁状凸部１３は、基台部２の一面２ａ側に、第一外縁辺１０ａの他方と隣接する基台部２の外周に位置する第三外縁辺１０ｃに沿って、第二壁状凸部１２と対向するように所定の高さで水平方向に形成され、下側搬送容器の側壁部の上縁に係止することで、下側搬送容器上での搬送容器用積み重ね補助具１の水平方向の移動をさらに他の１方向から制動する。
【００４３】
したがって、下側搬送容器が第二構造搬送容器である場合、第一壁状凸部１１と第二壁状凸部１２と第三壁状凸部１３とによって、下側搬送容器の側壁部の上縁を保持し、下側搬送容器上に搬送容器用積み重ね補助具１を安定的に載置する。
【００４４】
第四壁状凸部１４は、基台部２の他面２ｂ側に、この基台部２の外周に位置する第一外縁辺１０ａに沿って所定の高さで水平方向に形成され、上側搬送容器の側壁部の下縁に係止することで、搬送容器用積み重ね補助具１上での上側搬送容器の水平方向の移動を制動する。
【００４５】
第五壁状凸部１５は、基台部２の他面２ｂ側に、この基台部２の外周に位置する第二外縁辺１０ｂに沿って所定の高さで水平方向に形成され、上側搬送容器の側壁部の下縁に係止することで、搬送容器用積み重ね補助具１上での上側搬送容器の水平方向の移動を制動する。
【００４６】
第六壁状凸部１６は、基台部２の他面２ｂ側に、この基台部２の外周に位置する第三外縁辺１０ｃに沿って、第五壁状凸部１５と対向するように所定の高さで水平方向に形成され、上側搬送容器の側壁部の下縁に係止することで、搬送容器用積み重ね補助具１上での上側搬送容器の水平方向の移動を制動する。
【００４７】
したがって、上側搬送容器が第二構造搬送容器である場合、第四壁状凸部１４と第五壁状凸部１５と第六壁状凸部１６とによって、上側搬送容器の側壁部下縁を保持し、搬送容器用積み重ね補助具１上に上側搬送容器を安定的に載置する。
【００４８】
第一端部切欠部２１は、第二壁状凸部１２の第一壁状凸部１１側の端部（すなわち、第二壁状凸部１２の一方の端部と第一壁状凸部１１の一方の端部との間）に形成され、下側搬送容器において対向する一対の側壁部のうち一方の側壁部における一端側の上縁を勘合し又は挟み込むようにすることで、下側搬送容器上での搬送容器用積み重ね補助具１の水平方向の移動を対向する２方向から制動する。
第一端部切欠部２１は、図８（ａ）に示すように、第二壁状凸部１２における第一壁状凸部１１側の端縁部１２ｃと、第一壁状凸部１１における一方の端部１１ａ１とによって形成される。
【００４９】
第二端部切欠部２２は、第三壁状凸部１３の第一壁状凸部１１側の端部（すなわち、第三壁状凸部１３の一方の端部と第一壁状凸部１１の他方の端部との間）に形成され、下側搬送容器において対向する一対の側壁部のうち一方の側壁部における他端側の上縁を勘合し又は挟み込むようにすることで、下側搬送容器上での搬送容器用積み重ね補助具１の水平方向の移動を対向する２方向から制動する。
第二端部切欠部２２は、図８（ｂ）に示すように、第三壁状凸部１３における第一壁状凸部１１側の端縁部１３ｃと、第一壁状凸部１１における他方の端部１１ａ２とによって形成される。
【００５０】
第一凹状切欠部３１は、第二壁状凸部１２の第一端部切欠部２１から所定間隔離れた位置に1又は２以上形成され、下側搬送容器において対向する一対の側壁部のうち他方の側壁部における一端側の上縁を勘合し又は挟み込むようにすることで、下側搬送容器上での搬送容器用積み重ね補助具１の水平方向の移動を対向する２方向から制動する。図１（ｂ）において、第一凹状切欠部３１は、二つの第一凹状切欠部３１ａ，３１ｂによって構成されていることが示されている。
【００５１】
第二凹状切欠部３２は、第三壁状凸部１３の第二端部切欠部２２から所定間隔離れた位置に1又は２以上形成され、下側搬送容器において対向する一対の側壁部のうち他方の側壁部における他端側の上縁を勘合し又は挟み込むようにすることで、下側搬送容器上での搬送容器用積み重ね補助具１の水平方向の移動を対向する２方向から制動する。図１（ｂ）において、第二凹状切欠部３２は、二つの第二凹状切欠部３２ａ，３２ｂによって構成されていることが示されている。
【００５２】
したがって、下側搬送容器が第一構造搬送容器である場合、第一端部切欠部２１と第二端部切欠部２２と第一凹状切欠部３１と第二凹状切欠部３２とによって、下側搬送容器の対向する各側壁部の突出した上縁を２方向からそれぞれ保持し、下側搬送容器上に搬送容器用積み重ね補助具１を安定的に載置する。
【００５３】
以上のように本実施の形態に係る搬送容器用積み重ね補助具１によれば、第一壁状凸部１１と第二壁状凸部１２と第三壁状凸部１３によって、下側に位置する第二構造搬送容器の側壁部の上縁（積み重ねフランジ部）を保持すると共に、第四壁状凸部１４と第五壁状凸部１５と第六壁状凸部１６によって、上側に位置する第二構造搬送容器の側壁部の下縁を保持することで、同一形状（構造）で互いに大きさが異なる第二構造搬送容器同士を安定的に上下に積み重ねることを可能とする。また、第一端部切欠部２１と第二端部切欠部２２、及び第一凹状切欠部３１と第二凹状切欠部３２とによって、下側に位置する第一構造搬送容器の側壁部の上縁を勘合し又は挟み込むように保持すると共に、第四壁状凸部１４と第五壁状凸部１５と第六壁状凸部１６によって、上側に位置する第二構造搬送容器の側壁部の下縁を保持することで、第一構造搬送容器の上に、この第一構造搬送容器とは形状（構造）が異なる第二構造搬送容器を安定的に上下に積み重ねることを可能とする。
【００５４】
＜第２の実施の形態＞
次に、本発明の第２の実施の形態として、第二構造搬送容器の上に、この第二構造搬送容器とは形状（構造）が異なる第一構造搬送容器を安定的に積み重ねるようにすることもできると共に、互いに大きさの異なる二つの第二構造搬送容器を上下に安定的に積み重ねることをも可能とする搬送容器用積み重ね補助具（すなわち、上述した第二の搬送容器用積み重ね補助具）について説明する。
なお、以下に述べる各実施の形態では、図１乃至図７に示す搬送容器用積み重ね補助具１を参照し、第１の実施の形態と同様の構成部分は同じ符号を付してその説明は省略し、特に説明しない限り同じであるものとする。
【００５５】
本実施の形態における搬送容器用積み重ね補助具１は、図1乃至図７に示すような基台部２と、第一壁状凸部１１と、第二壁状凸部１２と、第三壁状凸部１３と、第四壁状凸部１４と、第五壁状凸部１５と、第六壁状凸部１６と、第三端部切欠部２３と、第四端部切欠部２４と、第三凹状切欠部３３と、第四凹状切欠部３４とを備える。
【００５６】
第三端部切欠部２３は、第五壁状凸部１５の第四壁状凸部１４側の端部（すなわち、第五壁状凸部１５の一方の端部と第四壁状凸部１４の一方の端部との間）に形成され、上側搬送容器において対向する一対の側壁部のうち一方の側壁部における一端側の下縁を勘合し又は挟み込むようにすることで、搬送容器用積み重ね補助具１上での上側搬送容器の水平方向の移動を対向する２方向から制動する。
第三端部切欠部２３は、図８（ａ）に示すように、第五壁状凸部１５における第四壁状凸部１４側の端縁部１５ｃと、第四壁状凸部１４における一方の端部１４ａ１とによって形成される。
【００５７】
第四端部切欠部２４は、第六壁状凸部１６の第四壁状凸部１４側の端部（すなわち、第六壁状凸部１６の一方の端部と第四壁状凸部１４の他方の端部との間）に形成され、上側搬送容器において対向する一対の側壁部のうち一方の側壁部における他端側の下縁を勘合し又は挟み込むようにすることで、搬送容器用積み重ね補助具１上での上側搬送容器の水平方向の移動を対向する２方向から制動する。
第四端部切欠部２４は、図８（ｂ）に示すように、第六壁状凸部１６における第四壁状凸部１４側の端縁部１６ｃと、第四壁状凸部１４における他方の端部１４ａ２とによって形成される。
【００５８】
第三凹状切欠部３３は、第五壁状凸部１５の第三端部切欠部２３から所定間隔離れた位置に1又は２以上形成され、上側搬送容器において対向する一対の側壁部のうち他方の側壁部における一端側の下縁を勘合し又は挟み込むようにすることで、搬送容器用積み重ね補助具１上での上側搬送容器の水平方向の移動を対向する２方向から制動する。図１（ａ）において、第三凹状切欠部３３は、二つの第三凹状切欠部３３ａ，３３ｂによって構成されていることが示されている。
【００５９】
第四凹状切欠部３４は、第六壁状凸部１６の第四端部切欠部２４から所定間隔離れた位置に1又は２以上形成され、上側搬送容器において対向する一対の側壁部のうち他方の側壁部における他端側の下縁を勘合し又は挟み込むようにすることで、搬送容器用積み重ね補助具１上での上側搬送容器の水平方向の移動を対向する２方向から制動する。図１（ａ）において、第四凹状切欠部３４は、二つの第四凹状切欠部３４ａ，３４ｂによって構成されていることが示されている。
【００６０】
したがって、上側搬送容器が第一構造搬送容器である場合、第三端部切欠部２３と第四端部切欠部２４と第三凹状切欠部３３と第四凹状切欠部３４とによって、上側搬送容器の対向する各側壁部の底部より突出した下縁を２方向からそれぞれ保持し、搬送容器用積み重ね補助具１上に上側搬送容器を安定的に載置する。
【００６１】
以上のように本実施の形態に係る搬送容器用積み重ね補助具１によれば、第一壁状凸部１１と第二壁状凸部１２と第三壁状凸部１３によって、下側に位置する第二構造搬送容器の側壁部の上縁（フランジ部）を保持すると共に、第四壁状凸部１４と第五壁状凸部１５と第六壁状凸部１６によって、上側に位置する第二構造搬送容器の側壁部の下縁を保持することで、同一形状（構造）で互いに大きさが異なる第二構造搬送容器同士を安定的に上下に積み重ねることを可能とする。また、第三端部切欠部２３と第四端部切欠部２４、及び第三凹状切欠部３３と第四凹状切欠部３４とによって、上側に位置する第一構造搬送容器の側壁部の下縁を勘合し又は挟み込むように保持すると共に、第一壁状凸部１１と第二壁状凸部１２と第三壁状凸部１３によって、下側に位置する第二構造搬送容器の側壁部の上縁（フランジ部）を保持することで、第二構造搬送容器の上に、この第二構造搬送容器とは形状（構造）が異なる第一構造搬送容器を安定的に上下に積み重ねることを可能とする。
【００６２】
＜第３の実施の形態＞
次に、本発明の第３の実施の形態として、第一構造搬送容器の上に、この第一構造搬送容器とは形状の異なる第二構造搬送容器を安定的に積み重ねることができると共に、第二構造搬送容器の上に、この第二構造搬送容器とは形状（構造）が異なる第一構造搬送容器を安定的に積み重ねるようにすることができ、かつ、互いに大きさの異なる二つの第一構造搬送容器、及び互いに大きさの異なる二つの第二構造搬送容器を、上下に安定的に積み重ねることをも可能とする搬送容器用積み重ね補助具（すなわち、上述した第三の搬送容器用積み重ね補助具）について説明する。
【００６３】
本実施の形態における搬送容器用積み重ね補助具１は、図1乃至図７に示すような基台部２と、第一壁状凸部１１と、第二壁状凸部１２と、第三壁状凸部１３と、第四壁状凸部１４と、第五壁状凸部１５と、第六壁状凸部１６と、第一端部切欠部２１と、第二端部切欠部２２と、第三端部切欠部２３と、第四端部切欠部２４と、第一凹状切欠部３１と、第二凹状切欠部３２と、第三凹状切欠部３３と、第四凹状切欠部３４とを備える。
【００６４】
以上のように本実施の形態に係る搬送容器用積み重ね補助具１によれば、第一壁状凸部１１と第二壁状凸部１２と第三壁状凸部１３によって、下側に位置する第二構造搬送容器の側壁部の上縁（積み重ねフランジ部）を保持すると共に、第四壁状凸部１４と第五壁状凸部１５と第六壁状凸部１６によって、上側に位置する第二構造搬送容器の側壁部の下縁を保持することで、同一形状（構造）で互いに大きさが異なる第二構造搬送容器同士を安定的に上下に積み重ねることを可能とすることができる。
【００６５】
また、本実施の形態に係る搬送容器用積み重ね補助具１によれば、第一端部切欠部２１と第二端部切欠部２２、及び第一凹状切欠部３１と第二凹状切欠部３２とによって、下側に位置する第一構造搬送容器の側壁部の上縁を勘合し又は挟み込むように保持すると共に、第四壁状凸部１４と第五壁状凸部１５と第六壁状凸部１６によって、上側に位置する第二構造搬送容器の側壁部の下縁を保持することで、第一構造搬送容器の上に、この第一構造搬送容器とは形状（構造）が異なる第二構造搬送容器を安定的に上下に積み重ねることを可能とすることができる。
【００６６】
また、本実施の形態に係る搬送容器用積み重ね補助具１によれば、第三端部切欠部２３と第四端部切欠部２４、及び第三凹状切欠部３３と第四凹状切欠部３４とによって、上側に位置する第一構造搬送容器の側壁部の下縁を勘合し又は挟み込むように保持すると共に、第一壁状凸部１１と第二壁状凸部１２と第三壁状凸部１３によって、下側に位置する第二構造搬送容器の側壁部の上縁（積み重ねフランジ部）を保持することで、第二構造搬送容器の上に、この第二構造搬送容器とは形状（構造）が異なる第一構造搬送容器を安定的に上下に積み重ねることを可能とすることができる。
【００６７】
さらに、本実施の形態に係る搬送容器用積み重ね補助具１によれば、第一端部切欠部２１と第二端部切欠部２２、及び第一凹状切欠部３１と第二凹状切欠部３２とによって、下側に位置する第一構造搬送容器の側壁部の上縁を勘合し又は挟み込むように保持すると共に、第三端部切欠部２３と第四端部切欠部２４、及び第三凹状切欠部３３と第四凹状切欠部３４とによって、上側に位置する第一構造搬送容器の側壁部の下縁を勘合し又は挟み込むように保持することで、同一形状（構造）で互いに大きさが異なる第一構造搬送容器同士を安定的に上下に積み重ねることを可能とする。
【００６８】
＜第４の実施の形態＞
次に、本発明の第４の実施の形態として、第二構造搬送容器の上に、この第二構造搬送容器とは形状の異なる第一構造搬送容器、もしくはこの第二構造搬送容器とは大きさの異なる第二構造搬送容器を安定的に積み重ねる際、下側に位置する第二構造搬送容器を固定的に保持することを可能とする搬送容器用積み重ね補助具（すなわち、上述した第四の搬送容器用積み重ね補助具）について説明する。
【００６９】
本実施の形態における搬送容器用積み重ね補助具１は、図1乃至図７に示すような基台部２と、第一壁状凸部１１と、第二壁状凸部１２と、第三壁状凸部１３と、第四壁状凸部１４と、第五壁状凸部１５と、第六壁状凸部１６と、第七壁状凸部１７と、第八壁状凸部１８と、第三端部切欠部２３と、第四端部切欠部２４と、第三凹状切欠部３３と、第四凹状切欠部３４と、を少なくとも備える。
【００７０】
第七壁状凸部１７は、図９（ａ）に示すように、第一壁状凸部１１と所定間隔を離し平行に、所定の高さで水平方向に形成され、第一壁状凸部１１とによって下側搬送容器の側壁部の上縁に備える積み重ねフランジ部の第一縁辺を勘合し又は挟み込むように保持することで、下側搬送容器上での搬送容器用積み重ね補助具１の水平方向の移動を対向する２方向から制動する。
【００７１】
第八壁状凸部１８は、第二壁状凸部１２又は第三壁状凸部１３のいずれか一方と所定間隔を離して平行に、所定の高さで水平方向に形成され、第二壁状凸部１２もしくは第三壁状凸部１３とによって下側搬送容器の側壁部の上縁に備える積み重ねフランジ部の第一縁辺と隣り合う第二縁辺を勘合し又は挟み込むように保持することで、下側搬送容器上での搬送容器用積み重ね補助具１の水平方向の移動を対向する２方向から制動する。図９（ｂ）において、第八壁状凸部１８は、第二壁状凸部１２と所定間隔を離して形成されていることが示されている。
【００７２】
以上のように本実施の形態に係る搬送容器用積み重ね補助具１によれば、下側搬送容器が第二構造搬送容器である場合、第一壁状凸部１１と第七壁状凸部１７とによって、下側搬送容器の側壁部の上縁（積み重ねフランジ部）を保持する。また、第二壁状凸部１２もしくは第三壁状凸部１３と第八壁状凸部１８とによって、第一壁状凸部１１と第七壁状凸部１７とによって保持された下側搬送容器の側壁部と隣り合う他の側壁部の上縁（積み重ねフランジ部）を保持することにより、該下側の第二構造搬送容器を固定的に連結する。したがって、下側搬送容器上に搬送容器用積み重ね補助具１を固定的に連結する状態で、第二構造搬送容器の上に、この第二構造搬送容器とは形状の異なる第一構造搬送容器、もしくはこの第二構造搬送容器とは大きさの異なる第二構造搬送容器を安定的に積み重ねることを可能とする。
【００７３】
＜第５の実施の形態＞
次に、本発明の第５の実施の形態として、上側搬送容器が第一構造搬送容器である場合、この第一構造搬送容器を固定的に保持することを可能とする搬送容器用積み重ね補助具（以下、「第五の搬送容器用積み重ね補助具」という。）を説明する。
【００７４】
本実施の形態における搬送容器用積み重ね補助具１は、図1乃至図７に示すような基台部２と、第一壁状凸部１１と、第二壁状凸部１２と、第三壁状凸部１３と、第四壁状凸部１４と、第五壁状凸部１５と、第六壁状凸部１６と、凸状係止部１９と、第三端部切欠部２３と、第四端部切欠部２４と、第三凹状切欠部３３と、第四凹状切欠部３４と、を少なくとも備える。
【００７５】
凸状係止部１９は、図９（ａ）に示すように、基台部２の他面２ｂ側に、第四壁状凸部１４と所定間隔を離し平行に、所定の高さで水平方向に形成され、この凸状係止部１９を、上側に位置する第一構造搬送容器の下縁に勘合して係止する。
【００７６】
以上のように本実施の形態に係る搬送容器用積み重ね補助具１によれば、上側搬送容器が第一構造搬送容器である場合、第三端部切欠部２３と第四端部切欠部２４、及び第三凹状切欠部３３と第四凹状切欠部３４とによって、上側に位置する第一構造搬送容器の側壁部の下縁を勘合し又は挟み込むように保持すると共に、凸状係止部１９によって、上側に位置する第一構造搬送容器の側壁部の下縁に勘合して係止するように保持することにより、該上側の第一構造搬送容器を固定的に連結する。したがって、搬送容器用積み重ね補助具１上に第一構造搬送容器を固定的に連結する状態で、第一構造搬送容器もしくは第二構造搬送容器上に、大きさ又は形状（構造）の異なる第一構造搬送容器を安定的に積み重ねることを可能とする。
【００７７】
＜第６の実施の形態＞
次に、本発明の第６の実施の形態として、上側搬送容器が第二構造搬送容器である場合、この第二構造搬送容器を固定的に保持することを可能とする搬送容器用積み重ね補助具（以下、「第六の搬送容器用積み重ね補助具」という。）を説明する。
【００７８】
図1０に示すように、本実施の形態における搬送容器用積み重ね補助具１は、基台部２と、第一壁状凸部１１と、第二壁状凸部１２と、第三壁状凸部１３と、第四壁状凸部１４と、第五壁状凸部１５と、第六壁状凸部１６と、第五凹状切欠部３５と、第六凹状切欠部３６と、を少なくとも備える。
【００７９】
本実施の形態における基台部２は、一定幅の該縁側領域を残して中心領域が切欠された板状枠体であり、例えば、該基台部２としては、一定幅の縁側領域を残して中心領域を取り除くように切欠いて板状枠体に成形したものであっても良いし、一定幅の細長板状部材を複数組み合わせることで四辺が形成されるように板状枠体に成形したものであっても良い。
【００８０】
第五凹状切欠部３５は、第五壁状凸部１５（又は第二壁状凸部１２）が形成された第二外縁辺１０ｂとは反対側に位置する第二内縁辺に1又は２以上形成され、上側搬送容器が第二構造搬送容器である場合、その底部に有する積み重ね係止部を勘合することで、搬送容器用積み重ね補助具１上での上側搬送容器の水平方向の移動を制動する。図１０において、第五凹状切欠部３５は、二つの第五凹状切欠部３５ａ，３５ｂによって構成されていることが示されている。
【００８１】
第六凹状切欠部３６は、第六壁状凸部１６（又は第三壁状凸部１３）が形成された第三外縁辺とは反対側に位置する第三内縁辺に1又は２以上形成され、上側搬送容器が第二構造搬送容器である場合、その底部に有する積み重ね係止部を勘合することで、搬送容器用積み重ね補助具１上での上側搬送容器の水平方向の移動を制動する。図１０において、第六凹状切欠部３６は、二つの第六凹状切欠部３６ａ，３６ｂによって構成されていることが示されている。
【００８２】
以上のように本実施の形態に係る搬送容器用積み重ね補助具１によれば、例えば上側搬送容器が第二構造搬送容器である場合、第四壁状凸部１４と第五壁状凸部１５と第六壁状凸部１６によって、上側に位置する第二構造搬送容器の側壁部の下縁を保持すると共に、第五凹状切欠部３５と第六凹状切欠部３６によって、上側に位置する第二構造搬送容器の側壁部の底部に有する積み重ね係止部を勘合して係止することで、上側に位置する第二構造搬送容器を固定的に保持することを可能とする。
【００８３】
＜使用方法＞
次に、図１１乃至図１４に基づき、本発明に係る搬送容器用積み重ね補助具１の使用方法について説明する。
まず、下側搬送容器が第一構造搬送容器である場合は、図１１に示すことができる。図１１（ａ）は、本発明に係る搬送容器用積み重ね補助具を第一構造搬送容器上に載置した状態示す平面図であり、図１１（ｂ）は、その側面図である。
図１１に示すように、第一構造搬送容器１００上に、搬送容器用積み重ね補助具１の一面２ａ側が第一構造搬送容器１００側を向くようにして載置する。ここで用いる搬送容器用積み重ね補助具１としては、上述した第一又は第三の搬送容器用積み重ね補助具が使用できる。
【００８４】
そうすると、第一構造搬送容器１００の一方の側壁部１０２Ａの上縁１０２ａを、第一端部切欠部２１及び第二端部切欠部２２によって勘合し又は挟み込むように保持すると共に、第一構造搬送容器１００の他方の側壁部１０２Ｂの上縁１０２ａを、第一凹状切欠部３１及び第二凹状切欠部３２によって勘合し又は挟み込むように保持する。図１１において、第一構造搬送容器１００の他方の側壁部１０２Ｂの上縁１０２ａは、第一凹状切欠部３１ａ及び第二凹状切欠部３２ａによって保持された状態が示されている。これにより、第一構造搬送容器１００上での搬送容器用積み重ね補助具１の水平方向の移動が制動される。
【００８５】
また、下側搬送容器が第二構造搬送容器である場合は、図１２に示すことができる。図１２（ａ）は、本発明に係る搬送容器用積み重ね補助具を第二構造搬送容器上に載置した状態示す平面図であり、図１２（ｂ）は、その側面図である。
図１２に示すように、第二構造搬送容器２００上に、搬送容器用積み重ね補助具１の一面２ａ側が第二構造搬送容器２００側を向くようにして載置する。ここで用いる搬送容器用積み重ね補助具１としては、上述した第一乃至第六の搬送容器用積み重ね補助具が使用できる。
【００８６】
そうすると、第二構造搬送容器２００の側壁部２０２の上縁に備えた積み重ねフランジ部２０３を、第一壁状凸部１１、第二壁状凸部１２、及び第三壁状凸部１３によってそれぞれ外側より囲むように保持する。これにより、第二構造搬送容器２００上で搬送容器用積み重ね補助具１が安定的に載置される。
【００８７】
また、上側搬送容器が第一構造搬送容器である場合は、図１３に示すことができる。図１３（ａ）は、本発明に係る搬送容器用積み重ね補助具上に第一構造搬送容器を載置した状態示す平面図であり、図１３（ｂ）は、その側面図である。
図１３に示すように、搬送容器用積み重ね補助具１の他面２ｂ側を上向きとして、その上に第一構造搬送容器１００を載置する。ここで用いる搬送容器用積み重ね補助具１としては、上述した第二、第三あるいは第六などの搬送容器用積み重ね補助具が使用できる。
【００８８】
そうすると、第一構造搬送容器１００の一方の側壁部１０２Ａの下縁１０２ｂを、第三端部切欠部２３及び第四端部切欠部２４によって挟み込むように保持すると共に、第一構造搬送容器１００の他方の側壁部１０２Ｂの下縁１０２ｂを、第三凹状切欠部３３及び第四凹状切欠部３４によって挟み込むように保持する。図１３において、第一構造搬送容器１００の他方の側壁部１０２Ｂの下縁１０２ｂは、第三凹状切欠部３３ａ及び第四凹状切欠部３４ａによって保持された状態が示されている。これにより、搬送容器用積み重ね補助具１上で第一構造搬送容器１００が安定的に載置される。
【００８９】
この際、第一構造搬送容器１００が、底面１０５において下方に突出する係止部１０６を備える搬送容器である場合、搬送容器用積み重ね補助具における第５壁状凸部１５及び第六壁状凸部１６に、上端辺に1又は２以上の第七凹状切欠部３７及び第八凹状切欠部（不図示）を形成すると良い。図１３において、第七凹状切欠部３７は、二つの第七凹状切欠部３７ａ，３７ｂによって構成されていることが示されている。
【００９０】
さらに、上側搬送容器が第二構造搬送容器である場合は、図１４に示すことができる。図１４に示すことができる。図１４（ａ）は、本発明に係る搬送容器用積み重ね補助具の上に第二構造搬送容器を載置した状態示す平面図であり、図１４（ｂ）は、その側面図である。
図１４に示すように、搬送容器用積み重ね補助具１の他面２ｂ側を上向きとして、その上に第二構造搬送容器２００を載置する。ここで用いる搬送容器用積み重ね補助具１としては、上述した第一乃至第六の搬送容器用積み重ね補助具が使用できる。
【００９１】
そうすると、第二構造搬送容器２００の側壁部２０２の下縁を、第四壁状凸部１４、第５壁状凸部１５、及び第六壁状凸部１６によってそれぞれ外側より囲むように保持する。これにより、搬送容器用積み重ね補助具１上で第二構造搬送容器２００Ａが安定的に載置される。
【００９２】
＜積み重ね方法＞
次に、図１５乃至図２２に基づき、本発明に係る搬送容器用積み重ね補助具を用いることで、互いに形状（構造）が異なる第一構造搬送容器と第二構造搬送容器、又は互いに大きさが異なる第一構造搬送容器同士、もしくは互いに大きさが異なる第二構造搬送容器同士、といった様々な搬送容器の積み重ね方法について説明する。
【００９３】
まず、第一構造搬送容器の上に、この第一構造搬送容器とは形状の異なる第二構造搬送容器を積み重ねる場合は、図１５又は図１６に示すことができる。図１５は、小さい第一構造搬送容器の上に第二構造搬送容器を積み重ねる方法を説明する側面図であり、図１６は、大きい第一構造搬送容器の上に第二構造搬送容器を積み重ねる方法を説明する側面図である。
【００９４】
図１５に示すように、小さい第一構造搬送容器１００Ｓの上に、搬送容器用積み重ね補助具１の一面２ａ側が向くように搬送容器用積み重ね補助具１を載置する。そうすると、第一構造搬送容器１００Ｓの一方の側壁部１０２Ａの上縁１０２ａを、第一端部切欠部２１及び第二端部切欠部２２によって勘合し又は挟み込むように保持すると共に、第一構造搬送容器１００Ｓの他方の側壁部１０２Ｂの上縁１０２ａを、第一端部切欠部２１に近い第一凹状切欠部３１ａ及び第二端部切欠部２２に近い第二凹状切欠部３２ａによって勘合し又は挟み込むように保持する。
【００９５】
次に、搬送容器用積み重ね補助具１の他面２ｂ側に第二構造搬送容器２００を載置する。そうすると、第二構造搬送容器２００の側壁部２０２の下縁を、第四壁状凸部１４、第五壁状凸部１５、及び第六壁状凸部１６によってそれぞれ外側より囲むように保持する。
【００９６】
また、図１６に示すように、大きい第一構造搬送容器１００Ｌの上に、搬送容器用積み重ね補助具１の一面２ａ側が向くように搬送容器用積み重ね補助具１を載置する。そうすると、第一構造搬送容器１００Ｌの一方の側壁部１０２Ａの上縁１０２ａを、第一端部切欠部２１及び第二端部切欠部２２によって勘合し又は挟み込むように保持すると共に、第一構造搬送容器１００Ｌの他方の側壁部１０２Ｂの上縁１０２ａを、第一端部切欠部２１より遠い（離れている）第一凹状切欠部３１ｂ及び第二端部切欠部２２より遠い（離れている）第二凹状切欠部３２ｂによって勘合し又は挟み込むように保持する。
【００９７】
次に、搬送容器用積み重ね補助具１の他面２ｂ側に第二構造搬送容器２００を載置する。そうすると、第二構造搬送容器２００の側壁部２０２の下縁を、第四壁状凸部１４、第五壁状凸部１５、及び第六壁状凸部１６によってそれぞれ外側より囲むように保持する。
【００９８】
これにより、下側搬送容器の大きさに関係なく、第一構造搬送容器１００Ｓ又は１００Ｌの上での搬送容器用積み重ね補助具１の水平方向の移動を制動することができると共に、搬送容器用積み重ね補助具１の上での第二構造搬送容器２００の水平方向の移動を制動することができる。
したがって、本発明に係る搬送容器用積み重ね補助具１を用いることで、第一構造搬送容器の大きさに影響されることなく、その上に、この第一構造搬送容器とは形状（構造）の異なる第二構造搬送容器を安定的に積み重ねることができ、効率良く搬送容器を移動又は運搬することが可能となる。
【００９９】
この際、搬送容器用積み重ね補助具として、第二壁状凸部又は第五壁状凸部が形成された第二外縁辺とは反対側に位置する第二内縁辺に第五凹状切欠部３５が形成されると共に、第三壁状凸部又は第六壁状凸部が形成された第三外縁辺とは反対側に位置する第三内縁辺に第六凹状切欠部３６が形成されたもの（すなわち、上述した第六の搬送容器用積み重ね補助具）を用いると、搬送容器用積み重ね補助具の上へ第二構造搬送容器を載置することで、第二構造搬送容器の底部より突出した積み重ね係止部２０４が、搬送容器用積み重ね補助具の第五凹状切欠部３５及び第六凹状切欠部３６に勘合して係止するように保持されるものとなる。
これにより、搬送容器用積み重ね補助具の上に第二構造搬送容器を固定的に連結することができ、第二構造搬送容器を確実に保持してより安定的に積み重ねることを可能とする。
【０１００】
また、第二構造搬送容器の上に、この第二構造搬送容器とは大きさの異なる第二構造搬送容器を積み重ねる場合は、図１７又は図１８に示すことができる。図１７は、小さい第二構造搬送容器の上に、大きい第二構造搬送容器を積み重ねる方法を説明する側面図であり、図１８は、大きい第二構造搬送容器の上に、小さい第二構造搬送容器を積み重ねる方法を説明する側面図である。
【０１０１】
図１７に示すように、小さい第二構造搬送容器２００Ｓの上に、搬送容器用積み重ね補助具１の一面２ａ側が向くように搬送容器用積み重ね補助具１を載置する。そうすると、第二構造搬送容器２００Ｓの側壁部２０２の上縁２０２ａに備えた積み重ねフランジ部２０３を、第一壁状凸部１１、第二壁状凸部１２、及び第三壁状凸部１３によってそれぞれ外側より囲むように保持する。
【０１０２】
次に、搬送容器用積み重ね補助具１の他面２ｂ側に大きい第二構造搬送容器２００Ｌを載置する。そうすると、第二構造搬送容器２００Ｌの側壁部２０２の下縁を、第四壁状凸部１４、第五壁状凸部１５、及び第六壁状凸部１６によってそれぞれ外側より囲むように保持する。
【０１０３】
また、図１８に示すように、大きい第二構造搬送容器２００Ｌの上に、搬送容器用積み重ね補助具１の一面２ａ側が向くように搬送容器用積み重ね補助具１を載置する。そうすると、第二構造搬送容器２００Ｌの側壁部２０２の上縁２０２ａに備えた積み重ねフランジ部２０３を、第一壁状凸部１１、第二壁状凸部１２、及び第三壁状凸部１３によってそれぞれ外側より囲むように保持する。
【０１０４】
次に、搬送容器用積み重ね補助具１の他面２ｂ側に小さい第二構造搬送容器２００Ｓを載置する。そうすると、第二構造搬送容器２００Ｓの側壁部２０２の下縁を、第四壁状凸部１４、第五壁状凸部１５、及び第六壁状凸部１６によってそれぞれ外側より囲むように保持する。
【０１０５】
これにより、搬送容器の大きさに関係なく、第二構造搬送容器２００Ｓ又は２００Ｌの上での搬送容器用積み重ね補助具１の水平方向の移動を制動することができると共に、搬送容器用積み重ね補助具１の上での第二構造搬送容器２００Ｓ又は２００Ｌの水平方向の移動が制動される。
したがって、本発明に係る搬送容器用積み重ね補助具１を用いることで、第二構造搬送容器の大きさに影響されることなくその上に、この第二構造搬送容器とは大きさの異なる第二構造搬送容器を安定的に積み重ねることができ、効率良く搬送容器を移動又は運搬することが可能となる。
【０１０６】
この際、搬送容器用積み重ね補助具として、第七壁状凸部１７及び第八壁状凸部１８をさらに備えたもの（すなわち、上述した第四の搬送容器用積み重ね補助具）を用いると、第二構造搬送容器２００の上へ搬送容器用積み重ね補助具を載置することで、第一壁状凸部１１と第七壁状凸部１７とによって、下側に位置する第二構造搬送容器２００（２００Ｓ，２００Ｌ）の側壁部の上縁に備える積み重ねフランジ部２０３の第一縁辺を勘合し又は挟み込むように保持すると共に、第二壁状凸部１２もしくは第三壁状凸部１３と第八壁状凸部１８とによって、第一壁状凸部１１と第七壁状凸部１７とによって保持されたフランジ部２０３の第一縁辺と隣り合う第二縁辺を勘合し又は挟み込むように保持する。
これにより、第二構造搬送容器上に搬送容器用積み重ね補助具１を固定的に連結することができ、この搬送容器用積み重ね補助具１の上に載置される上側搬送容器をより安定的に積み重ねることを可能とする。
【０１０７】
また、搬送容器用積み重ね補助具として、上述した第六の搬送容器用積み重ね補助具を用いると、搬送容器用積み重ね補助具の上へ第二構造搬送容器を載置することで、第二構造搬送容器の底部より突出した積み重ね係止部が、搬送容器用積み重ね補助具の第五凹状切欠部及び第六凹状切欠部に勘合して係止するように保持されるものとなる。
これにより、搬送容器用積み重ね補助具の上に、第二構造搬送容器を固定的に連結することができ、第二構造搬送容器を確実に保持してより安定的に積み重ねることを可能とする。
【０１０８】
また、第二構造搬送容器の上に、この第二構造搬送容器とは形状の異なる第一構造搬送容器を積み重ねる場合は、図１９又は図２０に示すことができる。図１９は、第二構造搬送容器の上に、小さい第一構造搬送容器を積み重ねる方法を説明する側面図であり、図２０は、第二構造搬送容器の上に、大きい第一構造搬送容器を積み重ねる方法を説明する側面図である。
【０１０９】
図１９に示すように、第二構造搬送容器２００の上に、搬送容器用積み重ね補助具１の一面２ａ側が向くように搬送容器用積み重ね補助具１を載置する。そうすると、第二構造搬送容器２００の側壁部２０２の上縁に備えた積み重ねフランジ部２０３を、第一壁状凸部１１、第二壁状凸部１２、及び第三壁状凸部１３によってそれぞれ外側より囲むように保持する。
【０１１０】
次に、搬送容器用積み重ね補助具１の他面２ｂ側に、小さい第一構造搬送容器１００Ｓを載置する。そうすると、第一構造搬送容器１００Ｓの一方の側壁部１０２Ａの下縁１０２ｂを、第三端部切欠部２３及び第四端部切欠部２４によって勘合し又は挟み込むように保持すると共に、第一構造搬送容器１００Ｓの他方の側壁部１０２Ｂの下縁１０２ｂを、第三端部切欠部２３に近い第三凹状切欠部３３ａ及び第四端部切欠部２４に近い第四凹状切欠部３４ａによって勘合し又は挟み込むように保持する。
【０１１１】
また、図２０に示すように、第二構造搬送容器２００の上に載置された搬送容器用積み重ね補助具１の他面２ｂ側に、大きい第一構造搬送容器１００Ｌを載置する。そうすると、第一構造搬送容器１００Ｌの一方の側壁部１０２Ａの下縁１０２ｂを、第三端部切欠部２３及び第四端部切欠部２４によって勘合し又は挟み込むように保持すると共に、第一構造搬送容器１００Ｌの他方の側壁部１０２Ｂの下縁１０２ｂを、第三端部切欠部２３より遠い（離れている）第三凹状切欠部３３ｂ及び第四端部切欠部２４より遠い（離れている）第四凹状切欠部３４ｂによって勘合し又は挟み込むように保持する。
【０１１２】
これにより、第二構造搬送容器２００上での搬送容器用積み重ね補助具１の水平方向の移動を制動することができると共に、搬送容器の大きさに関係なく、搬送容器用積み重ね補助具１上での第一構造搬送容器１００Ｓ又は１００Ｌの水平方向の移動が制動することができる。
したがって、本発明に係る搬送容器用積み重ね補助具１を用いることで、第二構造搬送容器の上に、この第二構造搬送容器とは形状（構造）の異なる第一構造搬送容器の大きさに影響されることなく安定的に積み重ねることができ、効率良く搬送容器を移動又は運搬することが可能となる。
【０１１３】
この際、搬送容器用積み重ね補助具として、上述した第四の搬送容器用積み重ね補助具を用いると、第二構造搬送容器２００の上へ搬送容器用積み重ね補助具を載置することで、第一壁状凸部１１と第七壁状凸部１７とによって、第一壁状凸部１１と第七壁状凸部１７とによって、下側に位置する第二構造搬送容器２００（２００Ｓ，２００Ｌ）の側壁部の上縁に備える積み重ねフランジ部２０３の第一縁辺を勘合し又は挟み込むように保持すると共に、第二壁状凸部１２もしくは第三壁状凸部１３と第八壁状凸部１８とによって、第一壁状凸部１１と第七壁状凸部１７とによって保持されたフランジ部２０３の第一縁辺と隣り合う第二縁辺を勘合し又は挟み込むように保持する。
これにより、第二構造搬送容器上に搬送容器用積み重ね補助具１を固定的に連結することができ、この搬送容器用積み重ね補助具１の上に載置される上側搬送容器をより安定的に積み重ねることを可能とする。
【０１１４】
また、搬送容器用積み重ね補助具として、凸状係止部１９をさらに備えたもの（すなわち、上述した第五の搬送容器用積み重ね補助具）を用いると、搬送容器用積み重ね補助具の上へ第一構造搬送容器１００を載置することで、（上述したように）第三端部切欠部２３と第四端部切欠部２４、及び第三凹状切欠部３３ｂと第四凹状切欠部３４ｂとによって、該第一構造搬送容器１００の側壁部１０２の下縁を勘合し又は挟み込むように保持すると共に、第一構造搬送容器１００の一方の側壁部１０２の下縁より突出した、下方に開口する積み重ね溝部１０４が凸状係止部１９に勘合するように係止して保持されるものとなる。
これにより、搬送容器用積み重ね補助具上に第一構造搬送容器１００を固定的に連結することができ、第一構造搬送容器１００を確実に保持してより安定的に積み重ねることを可能とする。
【０１１５】
また、第一構造搬送容器の上に、この第一構造搬送容器とは大きさの異なる第一構造搬送容器を積み重ねる場合は、図２１又は図２２に示すことができる。図２１は、小さい第一構造搬送容器の上に、大きい第一構造搬送容器を積み重ねる方法を説明する側面図であり、図２２は、大きい第一構造搬送容器の上に、小さい第一構造搬送容器を積み重ねる方法を説明する側面図である。
【０１１６】
図２１に示すように、小さい第一構造搬送容器１００Ｓの上に、搬送容器用積み重ね補助具１の一面２ａ側が下を向くように搬送容器用積み重ね補助具１を載置する。そうすると、第一構造搬送容器１００Ｓの一方の側壁部１０２Ａの上縁１０２ａを、第一端部切欠部２１及び第二端部切欠部２２によって勘合し又は挟み込むように保持すると共に、第一構造搬送容器１００Ｓの他方の側壁部１０２Ｂの上縁１０２ａを、第一端部切欠部２１に近い第一凹状切欠部３１ａ及び第二端部切欠部２２に近い第二凹状切欠部３２ａによって勘合し又は挟み込むように保持する。
【０１１７】
次に、搬送容器用積み重ね補助具１の他面２ｂ側に、大きい第一構造搬送容器１００Ｌを載置する。そうすると、第一構造搬送容器１００Ｌの一方の側壁部１０２Ａの下縁１０２ｂを、第三端部切欠部２３及び第四端部切欠部２４によって勘合し又は挟み込むように保持すると共に、第一構造搬送容器１００Ｌの他方の側壁部１０２Ｂの下縁１０２ｂを、第三端部切欠部２３より遠い（離れている）第三凹状切欠部３３ｂ及び第四端部切欠部２４より遠い（離れている）第四凹状切欠部３４ｂによって勘合し又は挟み込むように保持する。
【０１１８】
また、図２２に示すように、大きい第一構造搬送容器１００Ｌの上に、搬送容器用積み重ね補助具１の一面２ａ側が下を向くように搬送容器用積み重ね補助具１を載置する。そうすると、第一構造搬送容器１００Ｌの一方の側壁部１０２Ａの上縁１０２ａを、第一端部切欠部２１及び第二端部切欠部２２によって勘合し又は挟み込むように保持すると共に、第一構造搬送容器１００Ｌの他方の側壁部１０２Ｂの上縁１０２ａを、第一端部切欠部２１より遠い（離れている）第一凹状切欠部３１ｂ及び第二端部切欠部２２より遠い（離れている）第二凹状切欠部３２ｂによって勘合し又は挟み込むように保持する。
【０１１９】
次に、搬送容器用積み重ね補助具１の他面２ｂ側に、小さい第一構造搬送容器１００Ｓを載置する。そうすると、第一構造搬送容器１００Ｓの一方の側壁部１０２Ａの下縁１０２ｂを、第三端部切欠部２３及び第四端部切欠部２４によって勘合し又は挟み込むように保持すると共に、第一構造搬送容器１００Ｓの他方の側壁部１０２Ｂの下縁１０２ｂを、第三端部切欠部２３に近い第三凹状切欠部３３ａ及び第四端部切欠部２４に近い第四凹状切欠部３４ａによって勘合し又は挟み込むように保持する。
【０１２０】
これにより、搬送容器の大きさに関係なく、第一構造搬送容器１００Ｓ又は１００Ｌの上での搬送容器用積み重ね補助具１の水平方向の移動を制動することができると共に、搬送容器用積み重ね補助具１の上での第一構造搬送容器１００Ｓ又は１００Ｌの水平方向の移動が制動される。
したがって、本発明に係る搬送容器用積み重ね補助具１を用いることで、第一構造搬送容器の大きさに影響されることなくその上に、この第一構造搬送容器とは大きさの異なる第一構造搬送容器を安定的に積み重ねることができ、効率良く搬送容器を移動又は運搬することが可能となる。
【０１２１】
この際、搬送容器用積み重ね補助具として、上述した第五の搬送容器用積み重ね補助具を用いると、搬送容器用積み重ね補助具の上へ第一構造搬送容器１００を載置することで、（上述したように）第三端部切欠部２３と第四端部切欠部２４、及び第三凹状切欠部３３ｂと第四凹状切欠部３４ｂとによって、該第一構造搬送容器１００の側壁部１０２の下縁を勘合し又は挟み込むように保持すると共に、第一構造搬送容器１００の一方の側壁部１０２の下縁より突出した、下方に開口する積み重ね溝部１０４が凸状係止部１９に勘合するように係止して保持されるものとなる。
【０１２２】
以上のように本発明の搬送容器用積み重ね補助具によれば、形状（構造）が異なる搬送容器同士や、形状（構造）が同じで大きさが異なる搬送容器同士、形状（構造）が異なり、且つ、大きさが異なる搬送容器同士を、安定的に上下に積み重ねることを可能とすることができ、効率良く搬送容器を移動又は運搬することができる。
【産業上の利用可能性】
【０１２３】
本発明は、パンやおにぎり、弁当のような食品類等を収容して運搬するための搬送容器を扱う業種において産業上有用であり、特に、複数メーカの商品をまとめて配送するゆえ、大きさや形状が異なる複数の搬送容器を扱うことが必要な共同配送の市場において有用である。
【符号の説明】
【０１２４】
１  搬送容器用積み重ね補助具、２  基台部、２ａ  一面、２ｂ  他面、１１  第一壁状凸部、１２  第二壁状凸部、１３  第三壁状凸部、１４  第四壁状凸部、１５  第五壁状凸部、１６  第六壁状凸部、１７  第七壁状凸部、１８  第八壁状凸部、１９  凸状係止部、２０ａ，２０ｂ，２０ｃ，２０ｄ  板状部材、２１  第一端部切欠部、２２  第二端部切欠部、２３  第三端部切欠部、２４  第四端部切欠部、３１（３１ａ，３１ｂ）  第一凹状切欠部、３２（３２ａ，３２ｂ）  第二凹状切欠部、３３（３３ａ，３３ｂ）  第三凹状切欠部、３４（３４ａ，３４ｂ）  第四凹状切欠部、３５（３５ａ，３５ｂ）  第五凹状切欠部、３６（３６ａ，３６ｂ）  第六凹状切欠部、１００  第一構造搬送容器、１０１  載置部、１０２  側壁部、１０２ａ  上縁、１０２ｂ  下縁、１０３  積み重ね凸部、１０４  積み重ね溝部、１０５  底部、１０６  係止部、２００  第二構造搬送容器、２０１  載置部、２０２  側壁部、２０２ａ  上縁、２０２ｂ  下縁、２０３  積み重ねフランジ部、２０４  積み重ね係止部、２０５  底部
【図１】
2010159069.tif 000003
【図２】
2010159069.tif 000004
【図３】
2010159069.tif 000005
【図４】
2010159069.tif 000006
【図５】
2010159069.tif 000007
【図６】
2010159069.tif 000008
【図７】
2010159069.tif 000009
【図８】
2010159069.tif 000010
【図９】
2010159069.tif 000011
【図１０】
2010159069.tif 000012
【図１１】
2010159069.tif 000013
【図１２】
2010159069.tif 000014
【図１３】
2010159069.tif 000015
【図１４】
2010159069.tif 000016
【図１５】
2010159069.tif 000017
【図１６】
2010159069.tif 000018
【図１７】
2010159069.tif 000019
【図１８】
2010159069.tif 000020
【図１９】
2010159069.tif 000021
【図２０】
2010159069.tif 000022
【図２１】
2010159069.tif 000023
【図２２】
2010159069.tif 000024
【図２３】
2010159069.tif 000025
【図２４】
2010159069.tif 000026
【図２５】
2010159069.tif 000027
【図２６】
2010159069.tif 000028